(57)【要約】【課題】俯仰可能なブームと、ブームを俯仰させる俯仰シリンダと、ブームの先端部を上向きに回転させる荷重を付与するカウンタウエイトビーム及びカウンタウエイトとを備えた荷役運搬機械において、補剛のための要素の数を削減する。【解決手段】荷役運搬機械が、走行機体と、走行機体上に水平旋回可能に設けられた旋回台と、旋回台に基端部が支承されたブームと、ブームコンベヤと、カウンタウエイトビームと、カウンタウエイトビームの先端部に設けられたカウンタウエイトと、伸縮方向の一方の端部が旋回台と回動可能に連結され、伸縮方向の他方の端部がカウンタウエイトと回動可能に連結され、伸縮方向へ伸縮することによりブームを俯仰させる少なくとも１つの俯仰シリンダとを、備える。【選択図】図１
2019123565.tif 000002
【特許請求の範囲】
【請求項１】
走行機体と、
前記走行機体上に水平旋回可能に設けられた旋回台と、
水平な支軸を中心として俯仰可能に前記旋回台に基端部が支承されたブームと、
前記ブームに沿って設けられたブームコンベヤと、
平面視において前記ブームの基端部から当該ブームとは反対側へ延びるカウンタウエイトビームと、
前記カウンタウエイトビームの先端部に設けられたカウンタウエイトと、
伸縮方向の一方の端部が前記旋回台と回動可能に連結され、前記伸縮方向の他方の端部が前記カウンタウエイトと回動可能に連結され、前記伸縮方向へ伸縮することにより前記ブームを俯仰させる少なくとも１つの俯仰シリンダとを、備える、
荷役運搬機械。
【請求項２】
前記カウンタウエイトに、前記カウンタウエイトビームよりも下方において、当該カウンタウエイトの周囲から前記旋回台へ向けて突出したウエイト側ステーが設けられており、
前記俯仰シリンダが前記ウエイト側ステーと連結されている、
請求項１に記載の荷役運搬機械。
【請求項３】
前記ブームが水平姿勢にあるときに、前記ウエイト側ステーの前記カウンタウエイトの周囲からの突出方向が、前記旋回台に設けられた台側ステーと前記カウンタウエイトの重心とを結ぶ直線と平行である、
請求項２に記載の荷役運搬機械。
【請求項４】
前記カウンタウエイトが、前記カウンタウエイトビームに支持され、且つ、前記カウンタウエイトビームの延伸方向と直交方向に延びるカウンタウエイト軸、及び、前記カウンタウエイト軸に支持された少なくとも１つのウエイトブロックとを含み、
前記俯仰シリンダが前記カウンタウエイト軸と連結されている、
請求項１に記載の荷役運搬機械。
【請求項５】
前記カウンタウエイトビームが平行な一対の梁部材を含み、平面視において前記俯仰シリンダが前記一対の梁部材の間に位置する、
請求項１〜４のいずれか一項に記載の荷役運搬機械。
【請求項６】
係留索の一方の端部が係留する第１係留部が前記ブームの下部に設けられており、前記係留索の他方の端部が係留する第２係留部が前記旋回台に設けられている、
請求項１〜５のいずれか一項に記載の荷役運搬機械。
【発明の詳細な説明】
【技術分野】
【０００１】
本発明は、スタッカやリクレーマなどの俯仰するブームを備える荷役運搬機械に関する。
【背景技術】
【０００２】
従来、陸揚げされた鉱石や石炭などのバラ物は、広大な面積を有するストックヤードに貯蔵される。ストックヤードには、積付手段としてのスタッカや、払出手段としてのリクレーマや、スタッカとリクレーマの機能を併せ備えたスタッカ・リクレーマなどの荷役運搬機械が備えられる。
【０００３】
スタッカは、バラ物を搬送するコンベヤを備え、バラ物をストックヤードに搬入して積み付ける。リクレーマは、水平旋回・起伏動作可能なブームと、ブームの先端に設けられたバケットホイルと、ブームに沿って設けられたブームコンベヤとを備え、バケットホイルでバラ物の積山を取り崩しつつバラ物を掻き取り、ブームコンベヤでバラ物を積山から所定の場所へ払い出す。特許文献１には、この種のリクレーマが開示されている。
【０００４】
図６は、特許文献１に示されたタイプの従来のリクレーマを示す。図６に示す従来のリクレーマ１００は、走行機体２と、走行機体２に水平旋回可能に支持された旋回台３と、旋回台３に支軸３５によって俯仰可能に支承されたブーム４と、ブーム４に沿って設けられたブームコンベヤ８と、ブーム４の先端に設けられたバケットホイル７と、ブーム４を俯仰駆動する俯仰シリンダ５とを備える。
【０００５】
従来のリクレーマ１００は、ブーム４の俯仰時の重心移動を抑制するために、バランス構造体９’を備える。バランス構造体９’は、ブーム４と結合されたマスト９２、ブーム４の基端と結合されたカウンタウエイトビーム９０、カウンタウエイトビーム９０の先端に設けられたカウンタウエイト９１、マスト９２の先端とブーム４の先端との間に架け渡されたテンションバー９３、及び、マスト９２の先端とカウンタウエイト９１との間に架け渡されたテンションバー９４を含む。そして、カウンタウエイト９１の重量を利用してテンションバー９３，９４でブーム４を引っ張ることにより全体のバランスがとられている。
【０００６】
俯仰シリンダ５の先端はカウンタウエイトビーム９０の長手方向中途部に規定された力点５０と回動可能に連結され、この俯仰シリンダ５が伸び縮みして力点５０に荷重を与えることにより、ブーム４が俯仰動作する。この力点５０へ応力が集中するため、バランス構造体９’は、マスト９２の先端とカウンタウエイトビーム９０の力点５０との間に架け渡された補剛フレーム９５と、マスト９２の先端とブーム４の長手方向中途部との間に架け渡された補剛フレーム９６とを更に含む。
【先行技術文献】
【特許文献】
【０００７】
【特許文献１】特開２０１６−２０４０６３号公報
【発明の概要】
【発明が解決しようとする課題】
【０００８】
上記の通り、従来のリクレーマ１００では、カウンタウエイトビーム９０の長手方向中途部に荷重が作用することから、カウンタウエイトビーム９０の撓みを防止するための補剛フレーム９５が必須要素となる。しかし、この補剛フレーム９５を省略することができれば、バランス構造体９’の構成要素数が減るので、バランス構造体９’の重量及びコスト削減をすることができる。また、補剛フレーム９５を省略することができれば、俯仰シリンダ５の上方に位置する構成要素の数が減るので、俯仰シリンダのメンテナンス性を向上することができる。
【０００９】
本発明は以上の事情に鑑みてされたものであり、その目的は、俯仰可能なブームと、ブームを俯仰させる俯仰シリンダと、ブームの先端部を上向きに回転させる荷重を付与するカウンタウエイトビーム及びカウンタウエイトとを備えた荷役運搬機械において、補剛のための要素の数を削減することにある。
【課題を解決するための手段】
【００１０】
本発明の一態様に係る荷役運搬機械は、
走行機体と、
前記走行機体上に水平旋回可能に設けられた旋回台と、
水平な支軸を中心として俯仰可能に前記旋回台に基端部が支承されたブームと、
前記ブームに沿って設けられたブームコンベヤと、
平面視において前記ブームの基端部から当該ブームとは反対側へ延びるカウンタウエイトビームと、
前記カウンタウエイトビームの先端部に設けられたカウンタウエイトと、
伸縮方向の一方の端部が前記旋回台と回動可能に連結され、前記伸縮方向の他方の端部が前記カウンタウエイトと回動可能に連結され、前記伸縮方向へ伸縮することにより前記ブームを俯仰させる少なくとも１つの俯仰シリンダとを、備えることを特徴としている。
【００１１】
上記荷役運搬機械では、ブームを俯仰させる際に、俯仰シリンダの着力点がカウンタウエイトにある。カウンタウエイトは剛体であるので、このような荷重の作用により撓んだり変形したりしない。よって、図６に示す従来技術に係るリクレーマ１００のように、カウンタウエイトビーム９０の撓みを抑制するための部材（補剛フレーム９５）を省くことができる。換言すれば、荷役運搬機械に含まれる補剛のための要素（例えば、補剛フレーム）の数を削減することができる。
【００１２】
上記荷役運搬機械において、前記カウンタウエイトに、前記カウンタウエイトビームよりも下方において、当該カウンタウエイトの周囲から前記旋回台へ向けて突出したウエイト側ステーが設けられており、前記俯仰シリンダが前記ウエイト側ステーと連結されていてよい。
【００１３】
これにより、カウンタウエイトの周面と前記俯仰シリンダの伸縮方向の一方の端部を連結する場合と比較して、俯仰シリンダの全長を短くすることができる。俯仰シリンダの全長を抑えることで、俯仰シリンダとしてより剛性の低いシリンダを採用することが可能となり、俯仰シリンダに掛かるコストを削減することができる。
【００１４】
上記荷役運搬機械において、前記ブームが水平姿勢にあるときに、前記ウエイト側ステーの前記カウンタウエイトの周囲からの突出方向が、前記旋回台に設けられた台側ステーと前記カウンタウエイトの重心とを結ぶ直線と平行であってよい。
【００１５】
これにより、ブームが水平姿勢にあるときは、即ち、ブームが俯仰幅のほぼ中央にあるときであるから、ブームの俯仰幅に亘って、カウンタウエイトに作用する荷重の作用線とカウンタウエイトの重心とのズレ量を抑えることができる。
【００１６】
上記荷役運搬機械において、前記カウンタウエイトが、前記カウンタウエイトビームに支持され、且つ、前記カウンタウエイトビームの延伸方向と直交方向に延びるカウンタウエイト軸、及び、前記カウンタウエイト軸に支持された少なくとも１つのウエイトブロックとを含み、前記俯仰シリンダが前記カウンタウエイト軸と連結されていてよい。
【００１７】
このような複数部材から成るカウンタウエイトを用いることによって、カウンタウエイトが一塊の剛体である場合と比較して、カウンタウエイトと俯仰シリンダとが連結される構造を安価且つ容易に実現することができる。
【００１８】
上記荷役運搬機械において、前記カウンタウエイトビームが平行な一対の梁部材を含み、平面視において前記俯仰シリンダが前記一対の梁部材の間に位置してよい。
【００１９】
これにより、メンテナンスのために俯仰シリンダを取り外すときに、カウンタウエイトビームの一対の梁部材の間を通して、俯仰シリンダをカウンタウエイトビームの下方から上方へ吊り上げることができる。
【００２０】
上記荷役運搬機械において、係留索の一方の端部が係留する第１係留部が前記ブームの下部に設けられており、前記係留索の他方の端部が係留する第２係留部が前記旋回台に設けられていてよい。
【００２１】
これにより、メンテナンスのために俯仰シリンダを取り外すときに、第１係留部と第２係留部とに係留索を結合することで、ブームの姿勢を保持することができる。
【発明の効果】
【００２２】
本発明によれば、俯仰可能なブームと、ブームを俯仰させる俯仰シリンダと、ブームの先端部を上向きに回転させる荷重を付与するカウンタウエイトビーム及びカウンタウエイトとを備えた荷役運搬機械において、補剛のための要素の数を削減することができる。
【図面の簡単な説明】
【００２３】
【図１】図１は、本発明の一実施形態に係るリクレーマの側面図である。
【図２】図２は、俯仰シリンダ及びその取付構成を示す図である。
【図３】図３は、俯仰シリンダ及びその取付構成の変形例を示す図である。
【図４】図４は、カウンタウエイトの変形例を示すリクレーマの側面図である。
【図５】図５は、図４のリクレーマのカウンタウエイト、俯仰シリンダ及びその取付構成を示す平面図である。
【図６】図６は、従来のリクレーマの側面図である。
【発明を実施するための形態】
【００２４】
次に、図面を参照して本発明の実施の形態を説明する。ここでは、本発明を荷役運搬機械の一つであるリクレーマに適用した実施形態を説明するが、本発明はスタッカや、リクレーマとスタッカの機能を併せ備えたスタッカ・リクレーマなどの荷役運搬機械にも適用することができる。
【００２５】
図１は、本発明の一実施形態に係るリクレーマ１の側面図である。図１に示すように、リクレーマ１は、図示されないレール上を走行する走行機体２と、走行機体２の上で水平に旋回する旋回台３と、旋回台３に俯仰可能に支承されたブーム４と、ブーム４を俯仰させる俯仰アクチュエータとしての俯仰シリンダ５と、ブーム４の先端を上向きに回転させる荷重を当該ブーム４に付与するバランス構造体９と、旋回台３に支持されたキャビン６とを備える。キャビン６の内部には操縦室が設けられている。
【００２６】
ブーム４の基端部は、水平な支軸３５を中心として俯仰可能となるように、旋回台３に支持されている。ブーム４の先端部から基端部に亘って、ブーム４に沿ってバラ物を搬送するブームコンベヤ８が設けられている。ブームコンベヤ８は、ブーム４に沿って延びる無端状のコンベヤベルトと、コンベヤベルトを駆動する駆動装置（図示略）とを含む。ブーム４の先端部には、バケットホイル７が設けられている。バケットホイル７は、ホイルと、ホイルの周囲に設けられた複数のバケットと、ホイルを回転駆動する駆動装置（図示略）とを含む。
【００２７】
バランス構造体９は、ブーム４の基端部と連結されたマスト９２、ブーム４の基端部と連結されたカウンタウエイトビーム９０、カウンタウエイトビーム９０の先端部に設けられたカウンタウエイト９１、マスト９２の先端部とブーム４の先端部とに連結されたテンションバー９３、及び、マスト９２の先端部とカウンタウエイト９１とに連結されたテンションバー９４を含む。カウンタウエイトビーム９０は、平面視においてブーム４の基端部から当該ブーム４とは反対側へ延びる。マスト９２は旋回台３から見て上方へ延びる。ブーム４、テンションバー９３、及びマスト９２によって、側面視三角形が形成されている。また、カウンタウエイトビーム９０、カウンタウエイト９１、テンションバー９４、及びマスト９２によって側面視三角形が形成されている。
【００２８】
上記構成のバランス構造体９では、カウンタウエイト９１の重量を利用してテンションバー９３，９４でブーム４の先端を上向きに引っ張ることにより、ブーム４及びバランス構造体９を含む全体のバランスがとられている。
【００２９】
俯仰シリンダ５は、ロッド５１と、ロッド５１が進退可能に挿入されたシリンダチューブ５２と、シリンダチューブ５２に対しロッド５１を進退駆動する駆動機構５３とを含む。実施形態に係る俯仰シリンダ５は、電動シリンダである。
【００３０】
図２は、俯仰シリンダ５及びその取付構成を示す図である。図２に示すように、俯仰シリンダ５の駆動機構５３は、２つの電動モータ６１と、２つの減速装置６２と、１つの運動変換装置６３と、２つの摩擦クラッチ６４とを備える。駆動機構５３には、各電動モータ６１からロッド５１への、実質的に同一の構成を有する２つの駆動系統が形成されている。つまり、駆動機構５３は、冗長性を備える。通常は、駆動機構５３の２つの駆動系統のうち一方が動作し、一方の駆動系統に不具合が生じたときに、一方の駆動系統に代えて他方の駆動系統が動作する。
【００３１】
電動モータ６１は、ブレーキ装置６５付の電動モータ６１である。但し、電動モータ６１と、電動モータ６１を制動するブレーキ装置６５とが独立していてもよい。減速装置６２は、伝達された回転動力のトルクを増幅して運動変換装置６３へ出力する。運動変換装置６３は、減速装置６２の回転出力をロッド５１の直線往復運動に変換する。電動モータ６１と減速装置６２との間に介在する機械式の摩擦クラッチ６４は、俯仰シリンダ５に過負荷が入力されたときに、それが電動モータ６１へ伝達されることを防ぐ。
【００３２】
俯仰シリンダ５は、平面視において、カウンタウエイトビーム９０の一対の梁部材９０ａ，９０ｂの間に収まるように配置される。俯仰シリンダ５のロッド５１の先端部は、カウンタウエイト９１から旋回台３へ向けて突出したウエイト側ステー９８に回動可能に連結されている。また、俯仰シリンダ５のシリンダチューブ５２の基端部は、旋回台３に設けられた台側ステー３３に回動可能に連結されている。俯仰シリンダ５は、旋回台３とカウンタウエイト９１との間で突っ張っている。
【００３３】
カウンタウエイト９１は、ドラム状のボックス内に重量物が充填されて成る。ウエイト側ステー９８は、カウンタウエイト９１のボックスに固定されている、又は、一体的に構成されている。図１に示すように、ブーム４が水平にあるとき、ウエイト側ステー９８は、カウンタウエイトビーム９０よりも下方に位置する。また、図１に示すように、ブーム４が水平にあるとき、即ち、ブーム４が俯仰幅のほぼ中央にあるとき、側面視において、カウンタウエイト９１の重心９１ｇと台側ステー３３の支持ピン３４とを結ぶ直線Ｌと、ウエイト側ステー９８のカウンタウエイト９１からの突出方向とが平行である。このとき、ウエイト側ステー９８がその直線Ｌ上に位置することが更に望ましい。このようなウエイト側ステー９８によれば、ブーム４が水平にあるとき、側面視において、カウンタウエイト９１の重心９１ｇと台側ステー３３の支持ピン３４とを結ぶ直線Ｌと、俯仰シリンダ５の軸心方向（即ち、ロッド５１の延伸方向）とが平行となる。
【００３４】
上記構成のリクレーマ１では、旋回台３を旋回してブーム４を旋回させるとともに、俯仰手段としての俯仰シリンダ５でブーム４を俯仰させることにより、ブーム４の先端部に設けられたバケットホイル７を山積みされたバラ物にアクセスさせる。ここで、駆動機構５３によってロッド５１がシリンダチューブ５２から進出することにより、即ち、ロッド５１が伸びることにより、ブーム４の先端部が降下するようにブーム４が下方へ回動する。また、駆動機構５３によってロッド５１がシリンダチューブ５２へ退行することにより、即ち、ロッド５１が縮むことにより、ブーム４の先端部が上昇するようにブーム４が上方へ回動する。
【００３５】
そして、回転するバケットホイル７により、バラ物の積山が崩され、バラ物がバケットに採取される。バケットに採取されたバラ物は、バケットホイル７の回転によって、ブームコンベヤ８へ送られる。ブームコンベヤ８に載せられたバラ物は、ブーム４の先端部から基端部まで搬送され、旋回台３に形成されたシュート３１を通じて図示されない地上コンベヤへ送られる。
【００３６】
上記構成のリクレーマ１では、俯仰シリンダ５をメンテナンスする際に、旋回台３に設けられた係留部３２とブーム４の下部に設けられた係留部４２との間を係留索４４で繋ぎとめることにより、ブーム４の姿勢を保持する。係留索４４は、ワイヤ、チェーン、或いはロッドであってよい。このようにブーム４の姿勢を保持した後で、俯仰シリンダ５をウエイト側ステー９８及び台側ステー３３から取り外す。俯仰シリンダ５の上方にはブーム４やブームコンベヤ８ではなく、カウンタウエイトビーム９０が存在するだけなので、俯仰シリンダ５を搬出する際に図示されないクレーンで吊り上げる操作が容易となる。
【００３７】
以上に説明したように、本実施形態のリクレーマ１（荷役運搬機械の一例）は、走行機体２と、走行機体２上に水平旋回可能に設けられた旋回台３と、水平な支軸３５を中心として俯仰可能に旋回台３に基端部が支承されたブーム４と、ブーム４に沿って設けられたブームコンベヤ８と、平面視においてブームの基端部から当該ブームとは反対側へ延びるカウンタウエイトビーム９０と、カウンタウエイトビーム９０の先端部に設けられたカウンタウエイト９１と、伸縮方向の一方の端部が旋回台３と回動可能に連結され、伸縮方向の他方の端部がカウンタウエイト９１と回動可能に連結され、伸縮方向へ伸縮することによりブーム４を俯仰させる少なくとも１つの俯仰シリンダ５とを、備える。
【００３８】
本実施形態に係るリクレーマ１では、ブーム４を俯仰させる際に、俯仰シリンダ５の着力点がカウンタウエイト９１にある。カウンタウエイト９１は剛体であるので、このような荷重の作用により撓んだり変形したりしない。よって、図６に示す従来技術に係るリクレーマ１００のように、カウンタウエイトビーム９０の撓みを抑制するための部材（補剛フレーム９５）を省くことができる。換言すれば、荷役運搬機械に含まれる補剛のための要素（例えば、補剛フレーム）の数を削減することができる。
【００３９】
また、本実施形態に係るリクレーマ１では、カウンタウエイト９１に、カウンタウエイトビーム９０よりも下方において、当該カウンタウエイト９１の周囲から旋回台３へ向けて突出したウエイト側ステー９８が設けられており、俯仰シリンダ５がウエイト側ステー９８と連結されている。
【００４０】
これにより、カウンタウエイト９１の周面と俯仰シリンダ５の伸縮方向の一方の端部を連結する場合と比較して、俯仰シリンダ５の全長を短くすることができる。俯仰シリンダ５の全長を抑えることで、俯仰シリンダ５としてより剛性の低いシリンダを採用することが可能となり、俯仰シリンダ５に掛かるコストを削減することができる。
【００４１】
また、本実施形態に係るリクレーマ１では、ブーム４が水平姿勢にあるときに、ウエイト側ステー９８のカウンタウエイト９１の周囲からの突出方向が、旋回台３に設けられた台側ステー３３とカウンタウエイト９１の重心９１ｇとを結ぶ直線Ｌと平行である。
【００４２】
ブーム４が水平姿勢にあるときは、即ち、ブーム４が俯仰幅のほぼ中央にあるときである。よって、ブーム４の俯仰幅に亘って、カウンタウエイト９１に作用する荷重の作用線とカウンタウエイト９１の重心９１ｇとのズレ量を抑えることができる。
【００４３】
また、本実施形態に係るリクレーマ１では、カウンタウエイトビーム９０が平行な一対の梁部材９０ａ，９０ｂを含み、平面視において俯仰シリンダ５が一対の梁部材９０ａ，９０ｂの間に位置している。
【００４４】
これにより、メンテナンスのために俯仰シリンダ５を取り外すときに、カウンタウエイトビーム９０の一対の梁部材９０ａ，９０ｂの間を通して、俯仰シリンダ５をカウンタウエイトビーム９０の下方から上方へクレーン等で吊り上げることができる。但し、俯仰シリンダ５の配置は本実施形態に限定されず、平面視において俯仰シリンダ５が一対の梁部材９０ａ，９０ｂと重複していてもよい。この場合であっても、従来のリクレーマ１００と比較して補剛のための要素の数が少ないので、カウンタウエイトビーム９０の一対の梁部材９０ａ，９０ｂの間を通して、俯仰シリンダ５をカウンタウエイトビーム９０の下方から上方へクレーン等で吊り上げることができる。
【００４５】
また、本実施形態に係るリクレーマ１では、係留索４４の一方の端部が係留する第１係留部４２がブーム４の下部に設けられており、係留索４４の他方の端部が係留する第２係留部３２が旋回台３に設けられている。
【００４６】
これにより、メンテナンスのために俯仰シリンダ５を取り外すときに、第１係留部４２と第２係留部３２とに係留索４４を結合することで、ブーム４の姿勢を保持することができる。
【００４７】
以上に本発明の好適な実施の形態を説明したが、本発明の精神を逸脱しない範囲で、上記実施形態の具体的な構造及び／又は機能の詳細を変更したものも本発明に含まれ得る。上記のリクレーマ１の構成は、例えば、以下のように変更することができる。
【００４８】
例えば、上記実施形態に係るリクレーマ１において、俯仰シリンダ５は、電動シリンダであるが、電動シリンダに代えて公知の構成の油圧シリンダを採用してもよい。
【００４９】
また、例えば、上記実施形態に係るリクレーマ１は、１つの俯仰シリンダ５を設けているが、複数の俯仰シリンダ５を備えてもよい。図３は、俯仰シリンダ及びその取付構成の変形例を示す図である。図３に示すように、リクレーマ１が複数の俯仰シリンダ５を備える場合には、実質的に同一構成の複数の俯仰シリンダ５を、ウエイト側ステー９８と台側ステー３３との間に並列に設ける。複数の俯仰シリンダ５は、平面視において、カウンタウエイトビーム９０の一対の梁部材９０ａ，９０ｂの間に収まるように配置される。また、複数の俯仰シリンダ５は、互いに近接して配置される。これにより、複数の俯仰シリンダ５の間で伸縮代の偏差が生じることがあるが、このように複数の俯仰シリンダ５が近接して配置されていること、及び、カウンタウエイト９１が剛体であることによって、１つの俯仰シリンダ５の伸縮動作が余の俯仰シリンダ５の伸縮動作に追従して、伸縮代の偏差が小さくなる。
【００５０】
また、例えば、上記実施形態に係るリクレーマ１において、カウンタウエイト９１は一塊の剛体であるが、カウンタウエイト９１はこれに限定されない。図４は、カウンタウエイト９１’の変形例を示すリクレーマ１の側面図、図５は、図４のリクレーマ１のカウンタウエイト９１’、俯仰シリンダ５及びその取付構成を示す平面図である。
【００５１】
図４及び図５に示すカウンタウエイト９１’は、カウンタウエイト軸９１ａと、少なくとも１つのウエイトブロック９１ｂとから成る。カウンタウエイト軸９１ａは、カウンタウエイトビーム９０の一対の梁部材９０ａ，９０ｂの間に架け渡され、カウンタウエイトビーム９０の延伸方向と直交方向に延びている。
【００５２】
ウエイトブロック９１ｂは、カウンタウエイト軸９１ａに固定されている、又は、カウンタウエイト軸９１ａに載せられて、カウンタウエイト軸９１ａに支持されている。本例のカウンタウエイト９１’は、２つのウエイトブロック９１ｂをウエイト側ステー９８’の両側に振り分けて配置している。
【００５３】
ウエイト側ステー９８’は、カウンタウエイト軸９１ａの延伸方向の略中央部に一体的に設けられている、又は、固定されている。ウエイト側ステー９８’は、カウンタウエイト軸９１ａから台側ステー３３へ向けて延びている。そして、俯仰シリンダ５がカウンタウエイト軸９１ａに一体的に設けられたウエイト側ステー９８’に回動可能に連結されることによって、俯仰シリンダ５がカウンタウエイト軸９１ａと連結されている。但し、俯仰シリンダ５がカウンタウエイト軸９１ａの周囲に直接的に回動可能に連結されていてもよい。
【００５４】
このような複数部材から成るカウンタウエイト９１’を用いることによって、カウンタウエイト９１が一塊の剛体である場合と比較して、カウンタウエイト９１’と俯仰シリンダ５とが連結される構造を安価且つ容易に実現することができる。また、カウンタウエイト９１’のメンテナンス時には、ウエイトブロック９１ｂと比較して疲労しやすいカウンタウエイト軸９１ａのみを交換できるので、メンテナンスに係るコストを削減することができる。
【符号の説明】
【００５５】
１      ：リクレーマ（荷役運搬機械の一例）
２      ：走行機体
３      ：旋回台
４      ：ブーム
５      ：俯仰シリンダ
６      ：キャビン
７      ：バケットホイル
８      ：ブームコンベヤ
９      ：バランス構造体
３１    ：シュート
３２    ：係留部
３３    ：台側ステー
３４    ：支持ピン
３５    ：支軸
４２    ：係留部
４４    ：係留索
５０    ：力点
５１    ：ロッド
５２    ：シリンダチューブ
５３    ：駆動機構
６１    ：電動モータ
６２    ：減速装置
６３    ：運動変換装置
６４    ：摩擦クラッチ
６５    ：ブレーキ装置
９０    ：カウンタウエイトビーム
９０ａ，９０ｂ  ：梁部材
９１，９１’    ：カウンタウエイト
９１ａ  ：カウンタウエイト軸
９１ｂ  ：ウエイトブロック
９１ｇ  ：重心
９２    ：マスト
９３，９４    ：テンションバー
９５，９６    ：補剛フレーム
９８，９８’    ：ウエイト側ステー
【図１】
2019123565.tif 000003
【図２】
2019123565.tif 000004
【図３】
2019123565.tif 000005
【図４】
2019123565.tif 000006
【図５】
2019123565.tif 000007
【図６】
2019123565.tif 000008